【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
１つまたは複数のプロセッサーおよびシステムメモリーを含むフロントエンド・シムゲートウェイで実施される、クラウドネットワーク内の対応するバックエンド・テナントゲートウェイに届けるために顧客建物から受信したパケットをカプセル化するための方法であって、
前記フロントエンド・シムゲートウェイで、パケットを複数の顧客建物のうちの特定の顧客建物から受信するステップであって、前記フロントエンド・シムゲートウェイはクラウドネットワークをサービスするように構成され、前記クラウドネットワークは、前記複数の顧客建物にそれぞれ対応する複数のバックエンド・テナントゲートウェイを含み、前記フロントエンド・シムゲートウェイは、前記クラウドネットワークから遠隔且つ前記フロントエンド・シムゲートウェイがサービスする複数の顧客建物から遠隔に設置され、前記パケットは、前記特定の顧客建物に対応する、前記フロントエンド・シムゲートウェイ内の特定のシム構成要素で受信され、前記特定のシム構成要素は、各々が前記複数の顧客建物のうちの異なる１つに対応する、前記フロントエンド・シムゲートウェイ内の複数のシム構成要素のうちの１つであり、各シム構成要素は、その対応する顧客建物から受信されるパケットのための第１の通信フォーマットを、その対応する顧客建物の前記バックエンド・テナントゲートウェイに送信されるパケットのための第２の通信フォーマットに変換するように構成され、前記パケットは、仮想ローカル・エリア・ネットワーク（ＶＬＡＮ）タグを含み、前記ＶＬＡＮタグは、前記クラウドネットワーク内の前記特定の顧客建物に対する特定のＶＬＡＮを識別する、ステップと、
前記フロントエンド・シムゲートウェイが、前記パケットを、カプセル化されたパケットへとカプセル化するステップであって、前記ＶＬＡＮタグを、前記特定の顧客建物に対応する特定のバックエンド・テナントゲートウェイの宛先ネットワークアドレスにマップするステップを含み、前記特定のバックエンド・テナントゲートウェイは、前記クラウドネットワーク内の前記特定のＶＬＡＮ内にある、ステップと、
前記フロントエンド・シムゲートウェイが、前記カプセル化されたパケットを前記クラウドネットワークに転送するステップであって、前記カプセル化されたパケットは、前記クラウドネットワークの前記特定のＶＬＡＮ内の前記特定のバックエンド・テナントゲートウェイにアドレス指定された、ステップと
を含む方法。
【請求項２】
請求項１に記載の方法であって、前記パケットを前記特定の顧客建物から受信するステップは、前記パケットを、前記フロントエンド・シムゲートウェイによってサポートされる複数のアクセスモードのうちの１つを介して受信するステップを含む、方法。
【請求項３】
請求項１に記載の方法であって、前記パケットを、前記カプセル化されたパケットへとカプセル化するステップは、前記パケットを、カプセル化されたパケットへと、一般ルーティングのカプセル化（ＧＲＥ）または一般ルーティングのカプセル化を使用するネットワーク仮想化（ＮＶＧＲＥ）を使用してカプセル化するステップを含む、方法。
【請求項４】
請求項１に記載の方法であって、前記カプセル化されたパケットを転送するステップは、前記カプセル化されたパケットをソフトウェア負荷バランサーに転送して、前記カプセル化されたパケットを、前記特定のバックエンド・テナントゲートウェイに結合された、複数の仮想機械から選択された仮想機械に転送するステップを含む、方法。
【請求項５】
請求項１に記載の方法であって、前記パケットを、カプセル化されたパケットへとカプセル化するステップは、前記パケット内の前記ＶＬＡＮタグおよび宛先アドレスを、テナントＩＤ、前記特定のＶＬＡＮの電子アドレスおよび前記特定のバックエンド・テナントゲートウェイの電子アドレスにマップするステップを含む、方法。
【請求項６】
請求項１に記載の方法であって、前記フロントエンド・シムゲートウェイは、１つの論理的仮想ＰＣデバイスとして共に機能する複数のシムデバイスを含む、方法。
【請求項７】
請求項１に記載の方法であって、前記フロントエンド・シムゲートウェイは、顧客建物と前記クラウドネットワークとの間の様々な専用セッションに分散した複数のシムデバイスを含む、方法。
【請求項８】
１つまたは複数のプロセッサーおよびシステムメモリーを含むコンピューターシステムであって、前記コンピューターシステムは、クラウドネットワークをサービスするフロントエンド・シムゲートウェイとして構成され、且つ、前記クラウドネットワークから遠隔且つ前記フロントエンド・シムゲートウェイがサービスする複数の顧客建物から遠隔に設置されるように構成され、前記クラウドネットワークは、前記複数の顧客建物にそれぞれ対応する複数のバックエンド・テナントゲートウェイを含み、前記フロントエンド・シムゲートウェイは、前記複数の顧客建物のうちの特定の顧客建物から受信したパケットを、前記特定の顧客建物に対応する、前記クラウドネットワーク内の前記複数のバックエンド・テナントゲートウェイのうちの特定のバックエンド・テナントゲートウェイに届けるためにカプセル化するように構成され、前記フロントエンド・シムゲートウェイは、
複数のシム構成要素
を含み、前記複数のシム構成要素は、前記複数の顧客建物にそれぞれ対応し、その対応する顧客建物から受信されるパケットのための第１の通信フォーマットを、その対応する顧客建物の前記バックエンド・テナントゲートウェイに送信されるパケットのための第２の通信フォーマットに変換するように構成され、前記フロントエンド・シムゲートウェイは、
パケットを、前記特定の顧客建物から、前記特定の顧客建物に対応する特定のシム構成要素で受信し、前記パケットは、仮想ローカル・エリア・ネットワーク（ＶＬＡＮ）タグを含み、前記ＶＬＡＮタグは、前記クラウドネットワーク内の前記特定の顧客建物に対する特定のＶＬＡＮを識別し、
前記パケットを、カプセル化されたパケットへとカプセル化し、該カプセル化は、前記ＶＬＡＮタグを、前記特定の顧客建物に対応する前記特定のバックエンド・テナントゲートウェイの宛先ネットワークアドレスにマップすることを含み、前記特定のバックエンド・テナントゲートウェイは、前記クラウドネットワーク内の前記特定のＶＬＡＮ内にあり、
前記カプセル化されたパケットを前記クラウドネットワークに転送し、前記カプセル化されたパケットは、前記クラウドネットワークの前記特定のＶＬＡＮ内の前記特定のバックエンド・テナントゲートウェイにアドレス指定される
ように構成された、コンピューターシステム。
【請求項９】
請求項８に記載のコンピューターシステムであって、前記フロントエンド・シムゲートウェイは、１つの論理的仮想ＰＣデバイスとして共に機能する複数のシムデバイスを含む、コンピューターシステム。
【請求項１０】
請求項８に記載のコンピューターシステムであって、前記フロントエンド・シムゲートウェイは、顧客建物と前記クラウドネットワークとの間の様々な専用セッションに分散した複数のシムデバイスを含む、コンピューターシステム。
【請求項１１】
請求項８に記載のコンピューターシステムであって、前記フロントエンド・シムゲートウェイは、複数の冗長シムデバイスを含む、コンピューターシステム。
【請求項１２】
請求項８に記載のコンピューターシステムであって、前記パケットを前記特定の顧客建物から受信することは、前記パケットを、前記フロントエンド・シムゲートウェイによってサポートされる複数のアクセスモードのうちの１つを介して受信することを含む、コンピューターシステム。
【請求項１３】
請求項８に記載のコンピューターシステムであって、前記パケットを、前記カプセル化されたパケットへとカプセル化することは、前記パケットを、カプセル化されたパケットへと、一般ルーティングのカプセル化（ＧＲＥ）または一般ルーティングのカプセル化を使用するネットワーク仮想化（ＮＶＧＲＥ）を使用してカプセル化することを含む、コンピューターシステム。
【請求項１４】
請求項８に記載のコンピューターシステムであって、前記カプセル化されたパケットを転送することは、前記カプセル化されたパケットをソフトウェア負荷バランサーに転送して、前記カプセル化されたパケットを、前記特定のバックエンド・テナントゲートウェイに結合された、複数の仮想機械から選択された仮想機械に転送することを含む、コンピューターシステム。
【請求項１５】
１つまたは複数のプロセッサーと、
コンピューター実行可能命令を記憶した１つまたは複数のコンピューター可読媒体と
を備えた装置であって、前記コンピューター実行可能命令は、前記１つまたは複数のプロセッサーで実行されると、前記装置を、クラウドネットワークをサービスするフロントエンド・シムゲートウェイとして構成し、前記クラウドネットワークは複数のバックエンド・テナントゲートウェイを含み、前記複数のバックエンド・テナントゲートウェイは、前記フロントエンド・シムゲートウェイがサービスする複数の顧客建物にそれぞれ対応し、前記フロントエンド・シムゲートウェイは、前記クラウドネットワークから遠隔且つ前記複数の顧客建物から遠隔に設置されるように構成され、前記フロントエンド・シムゲートウェイは、前記複数の顧客建物のうちの特定の顧客建物から受信したパケットを、前記特定の顧客建物に対応する、前記クラウドネットワーク内の前記複数のバックエンド・テナントゲートウェイのうちの特定のバックエンド・テナントゲートウェイに届けるためにカプセル化するための方法を実行するように構成され、前記方法は、少なくとも、
パケットを前記特定の顧客建物から受信するステップであって、前記パケットは、仮想ローカル・エリア・ネットワーク（ＶＬＡＮ）タグを含み、前記ＶＬＡＮタグは、前記クラウドネットワーク内の前記特定の顧客建物に対する特定のＶＬＡＮを識別し、前記パケットは、前記特定の顧客建物に対応する、前記フロントエンド・シムゲートウェイ内の特定のシム構成要素で受信され、前記特定のシム構成要素は、各々が前記複数の顧客建物のうちの異なる１つに対応する、前記フロントエンド・シムゲートウェイ内の複数のシム構成要素のうちの１つであり、各シム構成要素は、その対応する顧客建物から受信されるパケットのための第１の通信フォーマットを、その対応する顧客建物の前記バックエンド・テナントゲートウェイに送信されるパケットのための第２の通信フォーマットに変換するように構成された、ステップと、
前記パケットを、カプセル化されたパケットへとカプセル化するステップであって、前記ＶＬＡＮタグを、前記特定の顧客建物に対応する前記特定のバックエンド・テナントゲートウェイの宛先ネットワークアドレスにマップするステップを含み、前記特定のバックエンド・テナントゲートウェイは、前記クラウドネットワーク内の前記特定のＶＬＡＮ内にある、ステップと、
前記カプセル化されたパケットを前記クラウドネットワークに転送するステップであって、前記カプセル化されたパケットは、前記クラウドネットワークの前記特定のＶＬＡＮ内の前記特定のバックエンド・テナントゲートウェイにアドレス指定された、ステップと
を含む、装置。
【請求項１６】
請求項１５に記載の装置であって、前記パケットを前記特定の顧客建物から受信するステップは、前記パケットを、前記フロントエンド・シムゲートウェイによってサポートされる複数のアクセスモードのうちの１つを介して受信するステップを含む、装置。
【請求項１７】
請求項１５に記載の装置であって、前記パケットを、前記カプセル化されたパケットへとカプセル化するステップは、前記パケットを、カプセル化されたパケットへと、一般ルーティングのカプセル化（ＧＲＥ）または一般ルーティングのカプセル化を使用するネットワーク仮想化（ＮＶＧＲＥ）を使用してカプセル化するステップを含む、装置。
【請求項１８】
請求項１５に記載の装置であって、前記カプセル化されたパケットを転送するステップは、前記カプセル化されたパケットをソフトウェア負荷バランサーに転送して、前記カプセル化されたパケットを、前記特定のバックエンド・テナントゲートウェイに結合された、複数の仮想機械から選択された仮想機械に転送するステップを含む、装置。
【請求項１９】
請求項１５に記載の装置であって、前記フロントエンド・シムゲートウェイは、１つの論理的仮想ＰＣデバイスとして共に機能する複数のシムデバイスを含む、装置。
【請求項２０】
請求項１５に記載の装置であって、前記フロントエンド・シムゲートウェイは、顧客建物と前記クラウドネットワークとの間の様々な専用セッションに分散した複数のシムデバイスを含む、装置。